(57)【要約】【課題】  画像ファイルを編集・再生することが可能な画像再生装置を提供する。【解決手段】  画像ファイルとその再生順もしくは再生形態を定めるシナリオファイルとが記録可能な記録媒体と、記録媒体からシナリオファイルを取り込んで再生順もしくは再生形態を判別するシナリオ判別手段と、シナリオ判別手段により判別された再生順もしくは再生形態に従って、記録媒体から取り込まれた画像ファイルを編集し再生する再生手段とを備える。この編集動作中に、確認用の再生操作釦７８の操作を受け付けると、現時点の再生順に沿った画像ファイルを順番に再生する。【選択図】      図１９
2007195207.tif 000002
【特許請求の範囲】
【請求項１】
複数の画像ファイルと、前記画像ファイルの再生順もしくは再生形態を予め定められたファイル形式で収録してなるシナリオファイルとが記録可能な記録媒体と、
前記記録媒体からシナリオファイルを取り込み、前記ファイル形式に基づいて前記再生順もしくは前記再生形態を判別するシナリオ判別手段と、
前記シナリオ判別手段により判別された前記再生順もしくは前記再生形態に従って、前記記録媒体から取り込まれた前記画像ファイルを再生する再生手段と
を備えたことを特徴とする画像再生装置。
【請求項２】
請求項１に記載の画像再生装置において、
前記シナリオファイルには、
前記再生形態として、前記画像ファイルの再生速度，前記画像ファイルの再生の繰り返し回数，前記画像ファイルの再生範囲，前記画像ファイルの再生に付加する特殊効果，前記画像ファイルに付随する音声の再生形態，のいずれか一つが少なくとも収録されてなる
ことを特徴とする画像再生装置。
【請求項３】
請求項１に記載の画像再生装置において、
前記シナリオファイルには、
その他のシナリオファイルを指し示す識別データが「再生順を構成するデータ」として収録され、
前記シナリオ判別手段は、
前記シナリオファイルに収録された識別データに基づいて、対応するシナリオファイルを階層的に辿り、前記画像ファイルの再生順を判別する
ことを特徴とする画像再生装置。
【請求項４】
請求項１乃至請求項３のいずれか１項に記載の画像再生装置において、
外部からの再生操作に応じて、前記記録媒体に記録された画像情報を再生する手動再生手段と、
前記手動再生手段による再生順もしくは再生形態をシナリオファイルとして自動記録する第１のシナリオ作成手段と、
を備えたことを特徴とする画像再生装置。
【請求項５】
請求項１乃至請求項４のいずれか１項に記載の画像再生装置において、
前記複数の画像ファイルに対する編集操作を受け付ける編集入力手段と、
前記編集入力手段を介して入力された編集操作に基づく再生順もしくは再生形態をシナリオファイルとして記録する第２のシナリオ作成手段と、
を備えたことを特徴とする画像再生装置。
【請求項６】
請求項１乃至請求項５のいずれか１項に記載の画像再生装置において、
前記シナリオファイルに沿って前記複数の画像ファイルを再生する際の矛盾を検出し、予め定められた優先順位もしくは外部からの修正指示に応じて、前記矛盾を修正する修正手段を備えた
ことを特徴とする画像再生装置。
【発明の詳細な説明】
【技術分野】
【０００１】
本発明は、記録媒体から画像ファイル（音声情報などを含んでもよい）を再生する画像再生装置に関し、特に、複数の画像ファイルを自在に再生することができる画像再生装置に関する。
【背景技術】
【０００２】
近年、コンピュータなどを用いたディジタル画像処理の発展により、記録媒体上の画像ファイルを再生して、動画像をモニタなどに表示する画像再生装置が実用化されている。
この種の画像再生装置では、複数の画像ファイルの中から単独の画像ファイルを手動選択して再生していた。
【０００３】
また従来は、コンピュータなどの画像編集ソフトを利用することにより、複数の画像ファイルを連結して、新たな画像ファイルを作成することもできた。
このような編集作業を行うことにより、例えば、撮像時に１シーンごとに分けて撮像された画像ファイルを、後から適宜に連結して一つの映像作品を作り上げることが可能となる。
【特許文献１】特開平６−２３１０３０号公報
【発明の開示】
【発明が解決しようとする課題】
【０００４】
ところで、このような画像編集ソフトでは、編集完了後に新たに生成される画像ファイルのファイル容量が大きくなるという問題点があった。
すなわち、一つのカットを複数回にわたって登場させるようなケースでは、登場回数分だけファイル容量が冗長に大きくなる。
【０００５】
なお、現状の画像圧縮技術では、フレーム間の冗長度を圧縮することはできるが、上記のようなフレーム間を遥かに超えた冗長度を検出し、圧縮することは困難である。
また、一組の画像ファイルに対し幾通りもの画像編集を施すと、編集回数の分だけ画像ファイルが新たに生成されてしまい、ファイル容量を大きく消費するという問題点があった。
【０００６】
そこで、請求項１，２に記載の発明は、上述した問題点を解決するために、記録媒体の記録容量を効率的に使用しつつ、一組の画像ファイルを自在に再生することができる画像再生装置を提供することを目的とする。
請求項３に記載の発明は、請求項１の目的と併せて、シナリオファイル（後述）単体のファイル構造を単純にしつつ、シナリオファイルの再利用性が高い画像再生装置を提供することを目的とする。
請求項４に記載の発明は、請求項１の目的と併せて、シナリオファイルを簡易に作成することができる画像再生装置を提供することを目的とする。
請求項５に記載の発明は、請求項１の目的と併せて、より高度な再生形態で画像ファイルを再生することができる画像再生装置を提供することを目的とする。
請求項６に記載の発明は、請求項１の目的と併せて、シナリオファイルの内容に矛盾点がある場合においても、画像ファイルを支障なく再生することができる画像再生装置を提供することを目的とする。
【課題を解決するための手段】
【０００７】
図１は、請求項１〜３に記載の発明に対応する原理ブロック図である。
請求項１に記載の発明は、複数の画像ファイルと、画像ファイルの再生順もしくは再生形態を予め定められたファイル形式で収録してなるシナリオファイルとが記録可能な記録媒体１と、記録媒体１からシナリオファイルを取り込み、上記のファイル形式に基づいて再生順もしくは再生形態を判別するシナリオ判別手段２と、シナリオ判別手段２により判別された再生順もしくは再生形態に従って、記録媒体１から取り込まれた画像ファイルを再生する再生手段３とを備えたことを特徴とする。
請求項２に記載の発明は、請求項１に記載の画像再生装置において、シナリオファイルには、再生形態として、画像ファイルの再生速度，画像ファイルの再生の繰り返し回数，画像ファイルの再生範囲，画像ファイルの再生に付加する特殊効果，画像ファイルに付随する音声の再生形態，のいずれか一つが少なくとも収録されてなることを特徴とする。
請求項３に記載の発明は、請求項１に記載の画像再生装置において、シナリオファイルには、その他のシナリオファイルを指し示す識別データが「再生順を構成するデータ」として収録され、シナリオ判別手段２は、シナリオファイルに収録された識別データに基づいて、対応するシナリオファイルを階層的に辿り、画像ファイルの再生順を判別することを特徴とする。
図２は、請求項４に記載の発明に対応する原理ブロック図である。
請求項４に記載の発明は、請求項１乃至請求項３のいずれか１項に記載の画像再生装置において、外部からの再生操作に応じて、記録媒体１に記録された画像情報を再生する手動再生手段４と、手動再生手段４による再生順もしくは再生形態をシナリオファイルとして自動記録する第１のシナリオ作成手段５とを備えたことを特徴とする。
図３は、請求項５に記載の発明に対応する原理ブロック図である。
請求項５に記載の発明は、請求項１乃至請求項４のいずれか１項に記載の画像再生装置において、複数の画像ファイルに対する編集操作を受け付ける編集入力手段６と、編集入力手段６を介して入力された編集操作に基づく再生順もしくは再生形態をシナリオファイルとして記録する第２のシナリオ作成手段７とを備えたことを特徴とする。
図４は、請求項６に記載の発明に対応する原理ブロック図である。
請求項６に記載の発明は、請求項１乃至請求項５のいずれか１項に記載の画像再生装置において、シナリオファイルに沿って複数の画像ファイルを再生する際の矛盾を検出し、予め定められた優先順位もしくは外部からの修正指示に応じて、矛盾を修正する修正手段８を備えたことを特徴とする。
（作用）
請求項１にかかわる画像再生装置では、シナリオ判別手段２が、記録媒体１からシナリオファイルを読み出す。このシナリオファイルには、記録媒体１上の画像ファイルの再生順もしくは再生形態が、予め定められたファイル形式で収録されている。
シナリオ判別手段２は、このファイル形式に基づいて再生順もしくは再生形態を判別する。
再生手段３は、シナリオ判別手段２で判別された再生順もしくは再生形態に従って、記録媒体１上の画像ファイルを再生する。
このように、記録媒体１には、素材となる一組の画像ファイルと、シナリオファイルとが一緒に記録される。このシナリオファイルは、再生順もしくは再生形態にかかわるデータのみを最低限収録すればよいので、記録媒体１の記憶容量は効率的に無駄なく使用される。
請求項２にかかわる画像再生装置では、上記の再生形態として、画像ファイルの再生速度，画像ファイルの再生の繰り返し回数，画像ファイルの再生範囲，画像ファイルの再生に付加する特殊効果，画像ファイルに付随する音声の再生形態，のいずれかがシナリオファイルに収録される。
請求項３にかかわる画像再生装置では、シナリオ判別手段２が、シナリオファイルを階層的に辿って、画像ファイルの再生順を判別する。
このように複数のシナリオファイルを階層的に辿って、複雑な再生順を再現することができるので、一つ一つのシナリオファイルは、ファイル構造が単純化される。
また、既に編集済みのシナリオファイルを、別のシナリオファイルに組み込むことが簡単にできるので、シナリオファイル自体の再利用性を高めることができる。
請求項４にかかわる画像再生装置では、手動による再生操作を記録してシナリオファイルを自動作成する。２回目以降は、このシナリオファイルを実行することができるので、手動による煩雑な再生操作を再度繰り返す必要がない。
請求項５にかかわる画像再生装置では、編集操作に基づいてシナリオファイルを作成する。
請求項６にかかわる画像再生装置では、予め定められた優先順位もしくは外部からの修正指示に従って、シナリオファイルの矛盾を修正する。
【発明の効果】
【０００８】
以上説明したように、請求項１または請求項２に記載の発明は、編集完了後の画像ファイルに替えて、ファイル容量の小さなシナリオファイルを記録媒体に記録する。
特に、同一カットが繰り返し登場するようなケースにおいては、従来のように編集完了後の画像ファイルに同一カットを冗長に繰り返し収録する必要が一切なく、同一カットの画像ファイルを識別する情報（ファイル名など）のみを最低限収録すれば足りる。
したがって、記録媒体の記録容量を無駄なく効率的に使用することができる。
請求項３に記載の発明は、シナリオファイルを階層的に辿って再生順を判別するので、一つ一つのシナリオファイルについてはファイル構造を単純にすることができる。
また、シナリオファイルに、編集済みのシナリオファイルを階層的に組み込むことができるので、シナリオファイルの再利用性が極めて高い。
請求項４に記載の発明は、手動による再生操作を自動記録してシナリオファイルを作成するので、シナリオファイルの作成を簡単に行うことができる。
また、２回目以降は、このシナリオファイルに沿って自動再生を行うことができるので、手動による煩雑な再生操作を繰り返す必要がなくなる。
請求項５に記載の発明は、編集操作に基づいて、シナリオファイルを作成するので、複雑な編集事項を指定することにより、高度なシナリオファイルを作成することが可能となる。
また、従来例に述べた画像編集ソフトとは異なり、編集完了後の画像ファイルを必ずしも作成する必要がないので、記録媒体の記録容量を効率的に使用することができる。
請求項６に記載の発明は、シナリオファイルの矛盾点が、予め定められた優先順位や修正指示に従って、自動的に修正される。したがって、シナリオファイルに矛盾点があっても、支障のない程度に画像再生を行うことができる。
以上説明したように、本発明を適用した画像再生装置では、記録媒体の記録容量を効率的に無駄なく使用しつつ、画像ファイルを所定の再生順もしくは再生形態で自在に再生することができる。
【発明を実施するための最良の形態】
【０００９】
以下、図面に基づいて本発明における実施の形態を説明する。
【００１０】
図５は、実施形態の機能ブロック図である。
図６は、本実施形態の外観を説明する図である。
図５，図６において、画像再生装置１１内には、ディスクドライブ部１２が配置され、ディスクドライブ部１２には、光磁気記録媒体１３が外部から装着される。
【００１１】
ディスクドライブ部１２のデータ出力は、画像伸長部１４およびマイクロプロセッサ１５に接続され、画像伸長部１４の画像出力は、フレームメモリ１６を介して、表示画像作成部１７に接続される。
表示画像作成部１７の出力は、画像再生装置１１の正面部に配置された液晶表示部１８に接続される。この液晶表示部１８には、指やペンなどの押圧を感知するタッチパネル１８ａが貼り付けられ、タッチパネル１８ａの出力は、タッチパネル検出回路１９に接続される。このタッチパネル検出回路１９の出力は、マイクロプロセッサ１５に入力される。
【００１２】
また、マイクロプロセッサ１５の制御入出力およびデータ出力は、画像伸長部１４，ディスクドライブ部１２および表示画像作成部１７にそれぞれ接続される。
さらに、本体１１の筐体には、Ｓ出力端子１１ａ，画像出力端子１１ｂ，音声出力端子１１ｃ，スピーカー１１ｄ，イヤホンジャック１１ｅなどが配置され、内部の出力アンプ回路（図示せず）にそれぞれ接続される。
【００１３】
なお、請求項記載の発明と本実施形態との対応関係については、記録媒体１は光磁気記録媒体１３に対応し、シナリオ判別手段２はディスクドライブ部１２およびマイクロプロセッサ１５の「シナリオファイルのデータ構造を判別する機能」に対応し、再生手段３はディスクドライブ部１２，画像伸長部１４，フレームメモリ１６および表示画像作成部１７に対応する。
【００１４】
請求項記載の発明と本実施形態との対応関係については、手動再生手段４は、タッチパネル１８ａ，タッチパネル検出回路１９およびマイクロプロセッサ１５の「手動の再生操作に応じて表示画像作成部１７などを制御する機能」に対応し、第１のシナリオ作成手段５はマイクロプロセッサ１５の「手動操作に応じてシナリオファイルのデータを作成する機能」に対応する。
【００１５】
請求項記載の発明と本実施形態との対応関係については、編集入力手段６は、タッチパネル１８ａ，タッチパネル検出回路１９およびマイクロプロセッサ１５の「編集操作を判別する機能」に対応し、第２のシナリオ作成手段７はマイクロプロセッサ１５の「編集操作に応じてシナリオファイルのデータを作成する機能」に対応する。
【００１６】
請求項記載の発明と本実施形態との対応関係については、修正手段８は、マイクロプロセッサ１５の「シナリオファイルのデータを修正する機能」に対応する。
図７は、本実施形態の動作を説明する状態遷移図である。
図８〜１２は、本実施形態の動作を説明する流れ図である。
【００１７】
以下、本実施形態の動作を、液晶表示部１８の表示画面の遷移に合わせて説明する。
（初期画面）
まず、電源が投入されると、表示画像作成部１７は、図１３に示すような初期画面を液晶表示部１８に表示する。初期画面には、再生操作を受け付けるための子ウィンドウ３０が表示され、子ウィンドウ３０の上半分には、サムネイル画像３１が一覧表示される。
【００１８】
このサムネイル画像３１は、例えば、光磁気記録媒体１３に記録された画像ファイルの先頭フレームを縮小表示した画像である。
このサムネイル画像３１の中には、シナリオファイル識別マーク３２を付与した画像が一緒に表示される。この画像は、再生順もしくは再生形態を定義したシナリオファイルに対応したサムネイル画像３１であり、例えば、関連付けられた画像ファイルの先頭フレームなどが縮小表示される。
【００１９】
これらのサムネイル画像３１の下側には、サムネイル画像３１の一覧をスクロールするためのスクロール釦３３が表示され、スクロール釦３３の下側には、再生操作を指示するための再生釦３４などが表示される。
また、再生釦３４の下側には、編集釦３５が表示される。この編集釦３５を指などでクリックすると、タッチパネル１８ａは、その押圧動作を感知する。
【００２０】
タッチパネル検出回路１９は、タッチパネル１８ａから押圧箇所の位置座標を検出してマイクロプロセッサ１５に伝達する。マイクロプロセッサ１５では、押圧箇所の位置座標に対応して、「編集釦３５がクリックされた」旨のメッセージを表示画像作成部１７に伝達する。
表示画像作成部１７では、「編集釦３５がクリックされた」旨のメッセージに従って、液晶表示部１８の表示画面を、図１４に示される編集画面Ａに変更する。
【００２１】
（編集画面Ａ）
図１４は、編集画面Ａを示す図である。
この編集画面Ａでは、上記の初期画面における再生釦３４および編集釦３５の替わりに、シナリオ編集釦４０，ビデオ編集釦４１およびＯＫ釦４２が表示される。
【００２２】
この画面上で、ＯＫ釦４２がクリックされると、表示画像作成部１７は、表示画面を初期画面に戻す。
一方、この画面上でビデオ編集釦４１がクリックされると、マイクロプロセッサ１５は、光磁気記録媒体１３上の画像ファイルを実際に連結するなどのビデオ編集モードに移行する。
【００２３】
また、この画面上でシナリオ編集釦４０がクリックされると、表示画像作成部１７は、表示画面を編集画面Ｂに変更する。
（編集画面Ｂ）
図１５は、編集画面Ｂを示す図である。
この編集画面Ｂでは、画面右上にＯＫ釦４５が表示され、画面中段には、サムネイル画像４６が横列に表示される。
【００２４】
また、画面の右下にパレット領域４８が表示され、画面の左下には、サムネイル画像４６の列表示をスクロールするためのスクロール釦４９が表示される。
以下、図８に示す流れ図に基づいて、編集画面Ｂにおける実施形態の動作を説明する。
まず、表示画像作成部１７は、編集画面Ｂを液晶表示部１８に表示する（図８Ｓ１）。
【００２５】
この状態で、サムネイル画像４６がクリックされると（図８Ｓ２）、マイクロプロセッサ１５は、サムネイル選択された画像ファイルを判別し、その画像ファイルに関連付けられた「再生形態を定義するシナリオファイル」の一覧をメニュー４７として表示する（図８Ｓ３）。
ここで、メニュー４７の一つがクリックされると（図８Ｓ４）、表示画像作成部１７は、表示画面を編集画面Ｃに変更する（図８Ｓ５）。
【００２６】
一方、編集画面Ｂにおいて、サムネイル画像４６またはメニュー４７が、パレット領域４８にドラッグ＆ドロップされると（図８Ｓ６）、マイクロプロセッサ１５は、「再生順を定義するシナリオファイル」を光磁気記録媒体１３の記録領域上に新規作成する（図８Ｓ７）。
ここで、「再生順を定義するシナリオファイル」のデータ構造を図１６（ａ）に示す。このデータ構造では、ポインタｐｂが示すデータの先頭から、次のデータが順番に格納される。
【００２７】
１）シナリオファイル名
２）先頭の画像ファイル名もしくはシナリオファイル名
３）２番目の画像ファイル名もしくはシナリオファイル名
・
・
Ｎ＋１）Ｎ番目の画像ファイル名もしくはシナリオファイル名
Ｎ＋２）終了コード
マイクロプロセッサ１５は、パレット領域４８にサムネイル画像４６またはメニュー４７がドロップされる度に、対応する画像ファイル名もしくはシナリオファイル名を新規シナリオファイルのデータに追加する（図８Ｓ８）。
【００２８】
また、編集画面Ｂにおいて、パレット領域４８がダブルクリックされると（図８Ｓ９）、表示画像作成部１７は、表示画面を編集画面Ｅに変更する（図８Ｓ１１）。
一方、編集画面Ｂにおいて、ＯＫ釦４５がクリックされると（図８Ｓ１２）、表示画像作成部１７は、表示画面を編集画面Ａに戻す（図８Ｓ１３）。
【００２９】
上述したように、編集画面Ｂでは、「再生順を定義するシナリオファイル」の新規作成が主として行われる。
（編集画面Ｃ）
図１７は、編集画面Ｃを示す図である。
この編集画面Ｃでは、「編集画面Ｂにおいてメニュー選択されたシナリオファイル」のサムネイル画像５１が画面の左上に表示され、サムネイル画像５１の下側には、モーションＲＥＣ釦５２およびＯＫ釦５３が表示される。
【００３０】
また、画面の右上には、特殊効果チェックボックス５４が縦列に表示され、特殊効果チェックボックス５４の下側には、繰り返し回数エディットボックス５５が表示される。
以下、図９に示す流れ図に基づいて、編集画面Ｃにおける実施形態の動作を説明する。
【００３１】
まず、表示画像作成部１７は、表示画面に編集画面Ｃを表示する（図９Ｓ１５）。
マイクロプロセッサ１５は、編集画面Ｂにおいてメニュー選択された「再生形態を定義するシナリオファイル」を光磁気記録媒体１３から読み出す（図９Ｓ１６）。
なお、図１５に示した「追加」欄がメニュー選択された場合、マイクロプロセッサ１５は、「再生形態を定義するシナリオファイル」を新規作成する。
【００３２】
ここで、「再生形態を定義するシナリオファイル」のデータ構造を図１６（ｂ）に示す。このデータ構造では、ポインタｐａが示すデータの先頭から、次のデータが順番に格納される。
１）シナリオファイル名
２）関連元の画像ファイル名
３）再生開始時点
４）再生終了時点
５）再生速度（ポーズ，逆再生，早送りなどを時系列に記憶する）
６）再生繰り返し回数
７）特殊効果（フェードイン，ワイプインなど）
８）音声の再生形態（音量などを時系列に記憶する）
マイクロプロセッサ１５は、特殊効果チェックボックス５４および繰り返し回数エディットボックス５５が更新される度に、シナリオファイル内の対応するデータを変更する（図９Ｓ１７）。
【００３３】
一方、編集画面Ｃにおいて、モーションＲＥＣ釦５２がクリックされると（図９Ｓ１８）、表示画像作成部１７は、表示画面に編集画面Ｄを表示する（図９Ｓ１９）。
また、編集画面Ｃにおいて、ＯＫ釦５３がクリックされると（図９Ｓ２０）、表示画像作成部１７は、表示画面を編集画面Ｂに戻す（図９Ｓ２１）。
【００３４】
上述したように、編集画面Ｃでは、「再生形態を定義するシナリオファイル」の新規作成およびデータ更新が主として行われる。
（編集画面Ｄ）
図１８は、編集画面Ｄを示す図である。
この編集画面Ｄでは、画面左側に再生画面６０が表示され、再生画面６０の下側には、左側から順番に、逆再生釦６１，逆早送り釦６２，停止釦６３，ポーズ釦６４，再生釦６５および早送り釦６６が表示される。
【００３５】
また、画面右上にはＯＫ釦６７が配置され、画面右側の中段には、開始設定釦６８，終了設定釦６９および確認釦７０が表示される。
さらに、画面右下には、再生時間を表示する時間表示ボックス７１と、再生音量を調節する音量調節バー７２とが表示される。
以下、図１０に示す流れ図に基づいて、編集画面Ｄにおける実施形態の動作を説明する。
【００３６】
まず、表示画像作成部１７は、表示画面に編集画面Ｄを表示する（図１０Ｓ２５）。
この編集画面Ｄにおいて、マイクロプロセッサ１５は、再生釦６５などに対する手動の再生操作を取り込む。
ここで、マイクロプロセッサ１５は、「編集画面Ｂにおいてメニュー選択されたシナリオファイル」の関連元の画像ファイルを光磁気記録媒体１３から読み出す。
【００３７】
このように読み出された画像ファイルは、画像伸長部１４において画像伸長され、フレームメモリ１６に順次記憶される。
一方、表示画像作成部１７は、マイクロプロセッサ１５から与えられた再生操作のメッセージに従って、フレームメモリ１６から画像を再生する。
例えば、早送り釦６６が押された場合、表示画像作成部１７は、フレームメモリ１６から数フレームおきに画像を読み出して、再生画面６０に順次表示する。
【００３８】
また、ポーズ釦６４が押された場合、表示画像作成部１７は、フレームメモリ１６から１フレーム分の画像を繰り返し読み出し、再生画面６０に表示する。
このような再生期間中に、開始設定釦６８がクリックされると、マイクロプロセッサ１５は、再生画面６０に現時点で表示されている画像ファイルのフレーム番号をシナリオファイル内の再生開始時点のデータ領域に書き込む。
【００３９】
この時点から、マイクロプロセッサ１５は、再生速度の変化をシナリオファイル内の再生速度のデータ領域に書き込む。
また、マイクロプロセッサ１５は、音量調節バー７２が操作されると、再生音量の変化をシナリオファイル内の音声再生形態のデータ領域に書き込む。
ここで、終了設定釦６９がクリックされると、マイクロプロセッサ１５は、再生画面６０に現時点で表示されている画像ファイルのフレーム番号をシナリオファイルの再生終了時点のデータ領域に書き込む（図１０Ｓ２６）。
【００４０】
この状態で、編集画面Ｄにおいて、ＯＫ釦６７がクリックされると（図１０Ｓ２７）、表示画像作成部１７は、表示画面を編集画面Ｃに戻す（図１０Ｓ２８）。
上述した動作により、編集画面Ｃでは、手動の再生操作がシナリオファイルに自動記録される。
（編集画面Ｅ）
図１９は、編集画面Ｅを示す図である。
【００４１】
編集画面Ｅでは、画面右上にＯＫ釦７６が表示され、画面の中段には、サムネイル画像７５が数列にわたって表示される。
また、画面左下には、サムネイル画像７５の列表示をスクロールするためのスクロール釦７７と、確認用の再生釦７８とが表示される。
以下、図１１に示す流れ図に基づいて、編集画面Ｅにおける実施形態の動作を説明する。
【００４２】
まず、表示画像作成部１７は、表示画面に編集画面Ｅを表示する（図１１Ｓ３０）。
次に、マイクロプロセッサ１５は、編集画面Ｂのパレット領域４８を用いて作成されたシナリオファイルを取り込む。表示画像作成部１７は、このシナリオファイルに定義された再生順に従って、サムネイル画像７５を列表示する（図１１Ｓ３１）。
【００４３】
ここで、一つのサムネイル画像７５がドラッグ操作されると、表示画像作成部１７は、そのサムネイル画像７５をドラッグ操作の動きに追従して変位させる。
さらに、このサムネイル画像７５が、２つのサムネイル画像の間にドロップされると、その間にサムネイル画像７５を挿入して、全体の表示位置を並べ替える（図１１Ｓ３２）。
【００４４】
マイクロプロセッサ１５は、このサムネイル画像７５の配列順に等しく、シナリオファイル内の再生順を示すデータを並べ替える（図１１Ｓ３３）。
一方、編集画面Ｅにおいて、ＯＫ釦７６がクリックされると（図１１Ｓ３４）、表示画像作成部１７は、表示画面を編集画面Ｂに戻す（図１１Ｓ３５）。
上述した編集動作により、編集画面Ｅでは、シナリオファイル内の再生順を示すデータを簡便に変更することができる。
【００４５】
なお、上述した編集動作の最中に、図１９に示された確認用の再生操作釦７８が操作されると、マイクロプロセッサ１５は、再生画面用の子ウィンドウを生成し、その子ウィンドウ内に、現時点の再生順に沿った画像ファイルを順番に再生する。
【００４６】
（再生動作）
図２０は、再生時の表示画面を示す図である。
画面上には、再生画面８０が大きく表示され、再生画面８０の下側には、再生操作釦８２が表示される。
以下、図１２に示す流れ図に基づいて、実施形態の再生動作を説明する。
【００４７】
まず、表示画像作成部１７は、再生画面８０の画面枠を表示する（図１２Ｓ４１）。
次に、マイクロプロセッサ１５は、初期画面においてサムネイル選択されたファイルが、画像ファイルまたはシナリオファイルのどちらかを判別する（図１２Ｓ４２）。
【００４８】
ここで、画像ファイルがサムネイル選択されている場合、マイクロプロセッサ１５は、ディスクドライブ部１２を介して光磁気記録媒体１３から画像ファイルを読み出す（図１２Ｓ４３）。
画像伸長部１４は、この画像ファイルのデータを伸長して、フレームメモリ１６に順次格納する。表示画像作成部１７は、フレームメモリ１６内の画像情報を再生画面８０に順次表示する（図１２Ｓ４４）。
【００４９】
表示画像作成部１７は、上記の画像ファイルの再生完了後に、表示画面を初期画面に戻す（図１２Ｓ４５）。
一方、ステップＳ４２において、シナリオファイルがサムネイル選択された場合、マイクロプロセッサ１５は、シナリオファイルのデータ構造に基づいて、再生順もしくは再生形態のどちらを定義したものかを判別する（図１２Ｓ４６）。
【００５０】
ここで、再生形態を定義したシナリオファイルの場合、マイクロプロセッサ１５は、ディスクドライブ部１２を介して光磁気記録媒体１３から、シナリオファイルと関連元の画像ファイルとを読み出す（図１２Ｓ４７）。
【００５１】
次に、マイクロプロセッサ１５は、シナリオファイルのデータ構造から再生開始時点および再生終了時点のデータを取得して、画像伸長部１４にこれらのデータを転送する。
画像伸長部１４は、画像ファイルのデータを、再生開始時点のフレーム前後から伸長して、フレームメモリ１６に順次格納する。
【００５２】
表示画像作成部１７は、フレームメモリ１６内の画像のフレーム番号をマイクロプロセッサ１５に伝達する。
マイクロプロセッサ１５では、フレーム番号の進行に同期して、シナリオファイル内の再生速度，音声の再生形態，特殊効果などのデータを表示画像作成部１７に伝達する。
【００５３】
表示画像作成部１７は、これらのデータに同期して、フレーム表示の時間間隔，画像ファイルに含まれる音声データの再生形態，特殊効果などを変更する（図１２Ｓ４８）。
画像伸長部１４は、再生終了時点のフレームを伸長すると共に、画像ファイルの伸長処理を終了する。表示画像作成部１７は、フレームメモリ１６内の画像の再生完了後に、表示画面を初期画面に戻す（図１２Ｓ４９）。
【００５４】
一方、ステップＳ４６において、再生順を定義したシナリオファイルであると判別された場合、マイクロプロセッサ１５は、ディスクドライブ部１２を介して光磁気記録媒体１３からシナリオファイルを読み出す。
ここで、マイクロプロセッサ１５は、図２１に示すように再生順を階層的に辿り、マイクロプロセッサ１５内部のメモリ上に再生順のデータを展開する（図１２Ｓ５０）。
【００５５】
すなわち、図２１に示すような場合、シナリオファイルＡには、
（画像ファイルＢ→シナリオファイルＣ→画像ファイルＤ）
のデータが記録される。そこで、マイクロプロセッサ１５は、再生順を定義したシナリオファイルＣを階層的に辿って読み出す。
このシナリオファイルＣには、
（画像ファイルＥ→画像ファイルＦ→シナリオファイルＧ）
のデータが記録される。ここでシナリオファイルＧは、再生形態を定義したものなので、これ以上に再生順を辿らない。
【００５６】
その結果、メモリ上に展開される再生順は、
（画像ファイルＢ→画像ファイルＥ→画像ファイルＦ→シナリオファイルＧ→画像ファイルＤ）
となる。
ここで、マイクロプロセッサ１５は、再生形態を定義したシナリオファイル同士の連結箇所を探索し、その連結箇所の特殊効果などに矛盾が生じるか否かを、所定の対照表などに基づいて判別する（図１２Ｓ５１）。
【００５７】
例えば、フェードアウトとワイプインなどが相互に定義されている場合は、矛盾が発生すると判断する。
このような矛盾が生じる場合、マイクロプロセッサ１５は、先行するシナリオファイルの特殊効果を優先するために、後のシナリオファイルの該当データを消去する（図１２Ｓ５２）。
【００５８】
マイクロプロセッサ１５は、修正済みのシナリオファイルを光磁気記録媒体１３に上書きする（図１２Ｓ５３）。
このように矛盾が解消された状態で、マイクロプロセッサ１５，画像伸長部１４および表示画像作成部１７は、メモリ上に展開された再生順に従って、画像ファイルもしくはシナリオファイルを順番に再生する（図１２Ｓ５４）。
【００５９】
表示画像作成部１７は、フレームメモリ１６内の画像の再生完了後に、表示画面を初期画面に戻す（図１２Ｓ５５）。
以上説明したように、本実施形態では、編集完了後の画像ファイルに替えて、ファイル容量の比較的に小さなシナリオファイルを光磁気記録媒体１３に記録する。
【００６０】
また、シナリオファイルを階層的に辿って、再生順を再構成するので、一つ一つのシナリオファイルについてはファイル構造を単純にすることができる。
また、シナリオファイルに、編集済みのシナリオファイルをそのまま組み込むことができるので、シナリオファイルの再利用性を高くなり、画像編集の作業性を高めることができる。
【００６１】
さらに、手動による再生操作を自動記録してシナリオファイルを作成するので、シナリオファイルの作成を簡単に行うことが可能となる。
また、２回目以降は、このシナリオファイルに沿って再生を行うことができるので、手動による煩雑な再生操作を繰り返す必要が一切なくなる。
また、高度な編集操作に基づいてシナリオファイルを作成することができるので、手動の再生操作では指定することのできない複雑な編集事項をシナリオファイルに含ませることができる。
【００６２】
さらに、シナリオファイルの矛盾点が、予め定められた優先順位に従って、自動的に修正されるので、シナリオファイルに沿った画像ファイルの再生画像が矛盾点によって支障をきたすおそれがない。
また、本実施形態では、再生形態と再生順とを定義するシナリオファイルを別個にしているので、シナリオファイルのデータ構造が単純になり、データ構造の解釈に要する情報処理の負荷を軽減することが可能である。
【００６３】
なお、上述した実施形態では、再生形態と再生順とを定義するシナリオファイルとを別個にしているが、両方のデータ構造を一つのシナリオファイルに含ませることにより、再生形態と再生順との両方を定義するシナリオファイルを使用してもよい。
【００６４】
また、上述した実施形態では、画像ファイルとシナリオファイルとを別個にしているが、シナリオファイルを画像ファイルの一部に記録できるようにしてもよい。
さらに、上述した実施形態では、記録媒体１として光磁気記録媒体１３を採用しているが、本発明は記録媒体１の材質や形状構造に限定されるものではなく、画像情報を記録できる記録媒体１であればよい。例えば、光記録媒体や磁気記録媒体でもよい。
【００６５】
また、上述した実施形態では、シナリオファイルが矛盾点を有する場合、先行する画像再生を自動的に優先しているが、本発明はそれに限定されず、例えば、後続する画像再生を自動的に優先してもよいし、矛盾点の種類ごとに優先する側を予め細かく設定しておいてもよい。また、矛盾の発生時にタッチパネル１８ａを介して外部からの優先指示を受け付けるようにしてもよい。
【００６６】
さらに、上述した実施形態では、再生時にシナリオファイルの矛盾点を自動修正しているが、本発明は、それに限定されるものではない。例えば、図１９に示したような編集動作中や、確認用の再生動作を行なっている最中に、シナリオファイルの矛盾点を自動修正したり、矛盾点を操作者に警告してもよい。このような構成では、シナリオファイルの編集中に矛盾点を迅速に見つけ、素早くかつ詳細に矛盾点を修正することが可能となる。
【産業上の利用可能性】
【００６７】
本発明は、画像再生装置に利用可能な技術である。
【図面の簡単な説明】
【００６８】
【図１】原理ブロック図である。
【図２】原理ブロック図である。
【図３】原理ブロック図である。
【図４】原理ブロック図である。
【図５】実施形態の機能ブロック図である。
【図６】本実施形態の外観を説明する図である。
【図７】本実施形態の動作を説明する状態遷移図である。
【図８】編集画面Ｂにおける本実施形態の動作を説明する図である。
【図９】編集画面Ｃにおける本実施形態の動作を説明する図である。
【図１０】編集画面Ｄにおける本実施形態の動作を説明する図である。
【図１１】編集画面Ｅにおける本実施形態の動作を説明する図である。
【図１２】再生モードにおける本実施形態の動作を説明する図である。
【図１３】初期画面を示す図である。
【図１４】編集画面Ａを示す図である。
【図１５】編集画面Ｂを示す図である。
【図１６】シナリオファイルのデータ構造を説明する図である。
【図１７】編集画面Ｃを示す図である。
【図１８】編集画面Ｄを示す図である。
【図１９】編集画面Ｅを示す図である。
【図２０】再生モード時の画面を示す図である。
【図２１】再生順の階層構造を説明する図である。
【符号の説明】
【００６９】
１…記録媒体，２…シナリオ判別手段，３…再生手段，４…手動再生手段，５…第１のシナリオ作成手段，６…編集入力手段，７…第２のシナリオ作成手段，８…修正手段，１１…画像再生装置，１２…ディスクドライブ部，１３…光磁気記録媒体，１４…画像伸長部，１５…マイクロプロセッサ，１６…フレームメモリ，１７…表示画像作成部，１８…液晶表示部，１８ａ…タッチパネル，１９…タッチパネル検出回路，３０…子ウィンドウ，３１…サムネイル画像，３２…シナリオファイル識別マーク，３３…スクロール釦，３４…再生釦，３５…編集釦，４０…シナリオ編集釦，４１…ビデオ編集釦，４２…ＯＫ釦，４５…ＯＫ釦，４６…サムネイル画像，４８…パレット領域，４９…スクロール釦，５１…サムネイル画像，５２…モーションＲＥＣ釦，５３…ＯＫ釦，５４…特殊効果チェックボックス，５５…繰り返し回数エディットボックス，６０…再生画面，６１…逆再生釦，６２…逆早送り釦，６３…停止釦，６４…ポーズ釦，６５…再生釦，６６…早送り釦，６７…ＯＫ釦，６８…開始設定釦，６９…終了設定釦，７０…確認釦，７２…音量調節バー，７５…サムネイル画像，７６…ＯＫ釦，７７…スクロール釦
【図１】
2007195207.tif 000003
【図２】
2007195207.tif 000004
【図３】
2007195207.tif 000005
【図４】
2007195207.tif 000006
【図５】
2007195207.tif 000007
【図６】
2007195207.tif 000008
【図７】
2007195207.tif 000009
【図８】
2007195207.tif 000010
【図９】
2007195207.tif 000011
【図１０】
2007195207.tif 000012
【図１１】
2007195207.tif 000013
【図１２】
2007195207.tif 000014
【図１３】
2007195207.tif 000015
【図１４】
2007195207.tif 000016
【図１５】
2007195207.tif 000017
【図１６】
2007195207.tif 000018
【図１７】
2007195207.tif 000019
【図１８】
2007195207.tif 000020
【図１９】
2007195207.tif 000021
【図２０】
2007195207.tif 000022
【図２１】
2007195207.tif 000023
【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
複数の画像ファイルが記録可能な記録媒体と、
前記記録媒体に記録された前記画像ファイルの再生に付加する編集の操作を受け付ける編集入力手段と、
前記編集入力手段による前記編集の受け付け期間中に、ユーザーによる所定操作を受け付けると、その時点までの前記編集に従って前記画像ファイルを再生する仮再生手段と、
前記編集入力手段を介して入力された前記編集の情報をシナリオファイルとして前記記録媒体に記録するシナリオ記録手段と、
を備えたことを特徴とする画像再生装置。
【請求項２】
請求項１に記載の画像再生装置において、
前記記録媒体から前記シナリオファイルを取り込み、前記シナリオファイルに格納される前記編集の情報を判別するシナリオ判別手段と、
前記シナリオ判別手段により判別された前記編集に従って、前記記録媒体に記録される前記画像ファイルを再生する本再生手段と
を備えたことを特徴とする画像再生装置。
【手続補正２】
【補正対象書類名】明細書
【補正対象項目名】０００６
【補正方法】変更
【補正の内容】
【０００６】
そこで、本発明は、シナリオファイルを簡易に作成することができる画像再生装置を提供することを目的とする。
【手続補正３】
【補正対象書類名】明細書
【補正対象項目名】０００７
【補正方法】変更
【補正の内容】
【０００７】
《１》  本発明の画像再生装置は、記録媒体、編集入力手段、仮再生手段、およびシナリオ記録手段を備える。
記録媒体は、複数の画像ファイルが記録可能である。
編集入力手段は、記録媒体に記録された画像ファイルの再生に付加する編集の操作を受け付ける。
仮再生手段は、編集入力手段による編集の受け付け期間中に、ユーザーによる所定操作を受け付けると、その時点までの編集に従って画像ファイルを再生する。
シナリオ記録手段は、編集入力手段を介して入力された編集の情報をシナリオファイルとして記録媒体に記録する。
《２》  なお好ましくは、シナリオ判別手段、および本再生手段を備える。
シナリオ判別手段は、記録媒体からシナリオファイルを取り込み、シナリオファイルに格納される編集の情報を判別する。
本再生手段は、シナリオ判別手段により判別された編集に従って、記録媒体に記録される画像ファイルを再生する。
【手続補正４】
【補正対象書類名】明細書
【補正対象項目名】０００８
【補正方法】変更
【補正の内容】
【０００８】
以上説明したように、本発明は、手動による再生操作を自動記録してシナリオファイルを作成するので、シナリオファイルの作成を簡単に行うことができる。さらに、この操作受け付け中に、ユーザーによる所定操作を受け付けると、その時点までの編集に従って画像ファイルを再生することができる。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
図７は、本実施形態の動作を説明する状態遷移図である。
図８〜１２は、本実施形態の動作を説明する流れ図である。